(57)【要約】      （修正有）【課題】情報をより有効に利用できるマイクロフォン連携装置を提供する。【解決手段】マイクロフォン連携装置１１０は、第１マイクロフォン１０Ｍ及び第１スピーカ１０Ｓを含む第１装置１０と、第２マイクロフォン２０Ｍ及び第２スピーカ２０Ｓを含む第２装置２０と、を含む。第１スピーカから出射された第１音波１０Ｗを第２マイクロフォンが受信したときに、第１装置及び第２装置は、１つのグループに入る第１動作が可能である。【選択図】図１
2019041362.tif 000002
【特許請求の範囲】
【請求項１】
第１マイクロフォン及び第１スピーカを含む第１装置と、
第２マイクロフォン及び第２スピーカを含む第２装置と、
を備え、
前記第１スピーカから出射された第１音波を前記第２マイクロフォンが受信したときに、前記第１装置及び前記第２装置は、１つのグループに入る第１動作が可能な、マイクロフォン連携装置。
【請求項２】
前記第１音波の周波数は、２０Ｈｚ以上２０ｋＨｚ以下である、請求項１記載のマイクロフォン連携装置。
【請求項３】
前記第１音波の周波数は、２０ｋＨｚよりも高い、請求項１記載のマイクロフォン連携装置。
【請求項４】
前記第１音波の前記出射は、前記第１装置が第１操作者の操作を受け付けることにより開始される、請求項１〜３のいずれか１つに記載のマイクロフォン連携装置。
【請求項５】
前記第１音波の前記出射は、時刻、前記第１装置の位置に関する情報、前記第１装置の第１操作者のスケジュール、前記第１装置と前記第２装置との間の距離に関する情報、及び、前記第１装置と前記第２装置との間の過去の送受信履歴に関する情報の少なくともいずれかに基づいて、開始される、請求項１〜３のいずれか１つに記載のマイクロフォン連携装置。
【請求項６】
前記第１音波を前記第２マイクロフォンが受信したときに、前記第２装置は、前記第１動作を実施するかどうかを前記第２装置の第２操作者に選択させることを促す、請求項１〜３のいずれか１つに記載のマイクロフォン連携装置。
【請求項７】
前記第１動作を実施することが前記第２操作者により選択されたという情報を前記第２装置が入手したときに、前記第１動作が実施される、請求項６記載のマイクロフォン連携装置。
【請求項８】
前記第１動作は、前記第１音波を前記第２マイクロフォンが受信した時刻、前記第１装置の第１操作者のスケジュール、前記第２装置の第２操作者のスケジュール、及び、前記第１装置と前記第２装置との間の過去の送受信履歴に関する情報の少なくともいずれかに基づいて、実施される、請求項１〜３のいずれか１つに記載のマイクロフォン連携装置。
【請求項９】
前記第２装置は、前記第１音波を前記第２マイクロフォンが受信した前記時刻、前記第１装置の前記第１操作者の前記スケジュール、前記第２装置の前記第２操作者のスケジュール、及び、前記第１装置と前記第２装置との間の過去の前記送受信履歴に関する前記情報の前記少なくともいずれかに基づいて、前記第１動作の前記実施を判断する、請求項８記載のマイクロフォン連携装置。
【請求項１０】
前記第１装置及び前記第２装置と送受信可能なサーバをさらに備え、
前記第１動作の少なくとも一部は、前記サーバで制御される、請求項１〜８のいずれか１つに記載のマイクロフォン連携装置。
【請求項１１】
前記１つのグループに入った後において前記第１マイクロフォンにより取得された第１音に関する第１音情報に、前記１つのグループに与えられた認識情報が付加されることが可能であり、
前記１つのグループに入った後において前記第２マイクロフォンにより取得された第２音に関する第２音情報に、前記認識情報が付加されることが可能である、請求項１〜１０のいずれか１つに記載のマイクロフォン連携装置。
【請求項１２】
前記１つのグループに入った後において前記第１マイクロフォンにより取得された第１音に関する第１音情報が記憶可能であり、
前記１つのグループに入った後において前記第２マイクロフォンにより取得された第２音に関する第２音情報が記憶可能である、請求項１〜１０のいずれか１つに記載のマイクロフォン連携装置。
【請求項１３】
前記１つのグループに入った後において前記第１マイクロフォンにより取得された第１音に関する第１音情報と、前記１つのグループに入った後において前記第２マイクロフォンにより取得された第２音に関する第２音情報と、の処理により得られた処理情報が出力可能である、請求項１〜８のいずれか１つに記載のマイクロフォン連携装置。
【請求項１４】
前記第１音情報と前記第２音情報との前記処理は、雑音の少なくとも一部の除去を含む、請求項１３記載のマイクロフォン連携装置。
【請求項１５】
前記処理情報は、前記第１音情報が音声認識処理されて得られた第１テキスト情報と、前記第２音情報が音声認識処理されて得られた第２テキスト情報と、を含む、請求項１３または１４に記載のマイクロフォン連携装置。
【請求項１６】
前記第１音波は、デジタルデータが符号化された信号を含む、請求項１〜１５のいずれか１つに記載のマイクロフォン連携装置。
【請求項１７】
前記第１音波は、音響電子透かしを含む、請求項１〜１６のいずれか１つに記載のマイクロフォン連携装置。
【請求項１８】
前記第１音波は、前記第１装置の空間的な位置により変化可能である、請求項１〜１７のいずれか１つに記載のマイクロフォン連携装置。
【請求項１９】
第３マイクロフォン及び第３スピーカを含む第３装置をさらに備え、
前記第３スピーカから出射された第３音波を前記第２マイクロフォンが受信したときに、前記第３装置は、前記１つのグループに入る第２動作がさらに可能であり、
前記第３音波は、前記第１音波とは異なる、請求項１〜１８のいずれか１つに記載のマイクロフォン連携装置。
【請求項２０】
前記第１音波の音響パワーは、例えば、１×１０−７Ｗ／ｍ２以上１×１０−４Ｗ／ｍ２以下である、請求項１〜１９のいずれか１つに記載のマイクロフォン連携装置。
【発明の詳細な説明】
【技術分野】
【０００１】
本発明の実施形態は、マイクロフォン連携装置に関する。
【背景技術】
【０００２】
例えば、携帯電話やタブレット型コンピュータなどの各種の電子機器にマイクロフォンが設けられる。マイクロフォンにより取得された情報（データ）は、各種の処理に用いられる。マイクロフォンにより取得された情報をより有効に利用することが望まれる。
【先行技術文献】
【特許文献】
【０００３】
【特許文献１】特開２０１６−３５４４３号公報
【特許文献２】特開２０１５−６１３１８号公報
【発明の概要】
【発明が解決しようとする課題】
【０００４】
本発明の実施形態は、情報をより有効に利用できるマイクロフォン連携装置を提供する。
【課題を解決するための手段】
【０００５】
本発明の実施形態によれば、マイクロフォン連携装置は、第１マイクロフォン及び第１スピーカを含む第１装置と、第２マイクロフォン及び第２スピーカを含む第２装置と、を含む。前記第１スピーカから出射された第１音波を前記第２マイクロフォンが受信したときに、前記第１装置及び前記第２装置は、１つのグループに入る第１動作が可能である。
【図面の簡単な説明】
【０００６】
【図１】第１実施形態に係るマイクロフォン連携装置を例示する模式図である。
【図２】第１実施形態に係るマイクロフォン連携装置の動作を例示するフローチャート図である。
【図３】第１実施形態に係るマイクロフォン連携装置の動作を例示する模式図である。
【図４】第１実施形態に係るマイクロフォン連携装置の動作を例示する別のフローチャート図である。
【図５】第１実施形態に係るマイクロフォン連携装置の動作を例示する模式図である。
【図６】第２実施形態に係るマイクロフォン連携装置を例示する模式図である。
【図７】実施形態に係るマイクロフォン連携装置の使用状態を例示する模式図である。
【発明を実施するための形態】
【０００７】
以下に、本発明の各実施の形態について図面を参照しつつ説明する。  
本願明細書と各図において、既出の図に関して前述したものと同様の要素には同一の符号を付して詳細な説明は適宜省略する。
【０００８】
（第１実施形態）  
図１は、第１実施形態に係るマイクロフォン連携装置を例示する模式図である。  
図１に示すように、実施形態に係るマイクロフォン連携装置１１０は、第１装置１０及び第２装置２０を含む。この例では、サーバ８０がさらに設けられている。
【０００９】
第１装置１０は、第１マイクロフォン１０Ｍ及び第１スピーカ１０Ｓを含む。第２装置２０は、第２マイクロフォン２０Ｍ及び第２スピーカ２０Ｓを含む。第１装置１０及び第２装置２０の少なくともいずれかは、例えば、携帯型の端末装置である。第１装置１０及び第２装置２０の少なくともいずれかは、例えば、スマートフォンまたはコンピュータ（タブレット型コンピュータを含む）である。第１装置１０及び第２装置２０の少なくともいずれかは、例えば、腕時計型、または、眼鏡型などでも良い。これらの装置の形態は任意である。
【００１０】
第１装置１０は、第１通信部１０Ｔ、第１記憶部１０Ａ、第１処理部１０Ｐ、第１表示部１０Ｄ及び第１操作受付部１０Ｒをさらに含んでも良い。第２装置２０は、第２通信部２０Ｔ、第２記憶部２０Ａ、第２処理部２０Ｐ、第２表示部２０Ｄ及び第２操作受付部２０Ｒをさらに含んでもよい。
【００１１】
第１通信部１０Ｔ及び第２通信部２０Ｔの少なくともいずれかは、例えば、サーバ８０などと通信が可能である。通信は、例えば、有線または無線の任意の方式で行われても良い。通信は、例えば、電磁波（電波、光または赤外線などを含む）により行われる。通信は、例えば、インターネット回線を含む通信経路により実施される。
【００１２】
第１記憶部１０Ａは、第１装置１０で実施される動作に関するプログラムの少なくとも一部を記憶できる。第１記憶部１０Ａは、例えば、第１マイクロフォン１０Ｍで取得された音データ（第１音情報）の少なくとも一部を記憶しても良い。第２記憶部２０Ａは、第２装置２０で実施される動作に関するプログラムの少なくとも一部を記憶できる。第２記憶部２０Ａは、例えば、第２マイクロフォン２０Ｍで取得された音データ（第２音情報）の少なくとも一部を記憶しても良い。これらの記憶部は、他の装置から取得した情報の少なくとも一部を記憶しても良い。
【００１３】
第１処理部１０Ｐは、第１装置１０で実施される動作を制御する。第１処理部１０Ｐの動作は、例えば、第１記憶部１０Ａに記憶されたプログラムの少なくとも一部に基づいて実施される。第２処理部２０Ｐは、第２装置２０で実施される動作を制御する。第２処理部２０Ｐの動作は、例えば、第２記憶部２０Ａに記憶されたプログラムの少なくとも一部に基づいて実施される。例えば、マイクロフォンで取得された音データの処理が、これらの処理部で処理されても良い。例えば、スピーカからの音の発生が、これらの処理部により制御により行われても良い。これらの処理部は、例えば制御部である。
【００１４】
第１表示部１０Ｄ及び第２表示部２０Ｄは、表示が可能である。これらの表示部は、表示機能の他に、入力機能を有しても良い。これらの表示部は、例えば、「タッチパネル式」の入力装置でも良い。これらの表示部は、第１装置１０または第２装置２０の使用者に対するインターフェース（例えばＧＵＩ：Graphical User Interface）として機能しても良い。
【００１５】
第１操作受付部１０Ｒ及び第２操作受付部２０Ｒは、使用者による操作を受け付けることが可能である。これらの操作受付部は、例えば、スイッチ（機械的スイッチ、電磁的スイッチ、または光学的スイッチ）などを含んでも良い。これらの操作受付部は、使用者の認証機能を有しても良い。
【００１６】
サーバ８０は、例えば、サーバ処理部８１及びサーバ記憶部８２を含む。サーバ８０は、例えば、第１装置１０及び第２装置２０の少なくともいずれかと通信が可能である。サーバ８０は、これらの装置にデータを供給可能である。サーバ８０は、これらの装置からデータを取得可能である。サーバ８０は、これらの装置を制御可能でも良い。サーバ８０で実施されるこれらの動作の少なくとも一部は、サーバ処理部８１により制御される。例えば、サーバ処理部８１の動作のためのプログラムの少なくとも一部は、サーバ記憶部８２に記憶される。第１装置１０及び第２装置２０から得られたデータの少なくとも一部が、サーバ記憶部８２に記憶される。第１装置１０及び第２装置２０に供給されるデータの少なくとも一部が、サーバ記憶部８２に記憶されても良い。
【００１７】
実施形態において、第１装置１０と第２装置２０との間の通信は、サーバ８０を介さないで実施されても良い。この場合、例えば、Ｐ２Ｐ（Peer to Peer）接続による通信が行われる。第１装置１０と第２装置２０との間の通信は、サーバ８０を介して実施されても良い。この場合、例えば、ＣＳＳ（Client Server System）型の接続により通信が行われる。
【００１８】
実施形態に係るマイクロフォン連携装置１１０においては、以下の第１動作が可能である。第１動作においては、第１装置１０の第１スピーカ１０Ｓから、第１音波１０Ｗが出射される。第１動作においては、第２装置２０の第２マイクロフォン２０Ｍが、この第１音波１０Ｗを受信したときに、第１装置１０及び第２装置２０は、１つのグループに入る。
【００１９】
実施形態においては、複数の装置（第１装置１０及び第２装置２０など）が、グルーピングされる。例えば、複数の装置がハンドシェイク状態となる。複数の装置（第１装置１０及び第２装置２０など）が、１つのグループに入ることで、これらの複数の装置における動作が連携される。
【００２０】
例えば、第１装置１０及び第２装置２０が、１つの部屋の中に置かれる。その部屋で、これらの装置のそれぞれの使用者が会議を行っている。このような状況において、第１装置１０と第２装置２０が同じグループに属していることで、第１マイクロフォン１０Ｍで取得された第１音情報と、第２マイクロフォン２０Ｍで取得された第２音情報と、を１つの組みとして利用することができる。
【００２１】
例えば、第１音情報と第２音情報とを処理することで、例えば、ノイズが抑制された音情報を得ることができる。例えば、会議に参加している複数の参加者の発言を、１つのマイクロフォンでは、高い品質で取得することが困難な場合がある。このような場合において、第１装置１０と第２装置２０が同じグループに属していることで、第１音情報と第２音情報とを処理することで、複数の参加者の発言を高い品質で取得することができる。
【００２２】
例えば、マイクロフォンで取得した音情報を音声認識することで、音情報からテキスト情報を導出することができる。このような場合に、複数のマイクロフォンで取得した複数の音情報（第１音情報及び第２音情報）が１つのグループに属していると認識されることにより、より高い品質のテキスト情報を得ることができる。
【００２３】
実施形態においては、複数の装置を１つのグループに入れる際に、上記の第１動作を行う。第１動作においては、第１装置１０の第１スピーカ１０Ｓから、第１音波１０Ｗが出射される。
【００２４】
第１装置１０から出射した第１音波１０Ｗは、適切な空間的な範囲に届く。例えば、会議が行われている部屋の中に、第１音波１０Ｗが届く。この部屋の中に置かれた別の装置（第２装置２０）は、この第１音波１０Ｗを受信可能である。この部屋の外に別の装置が置かれていても、その装置には、この第１音波１０Ｗは届きにくい。このため、１つの部屋の中でのグルーピングがより適切に実施できる。
【００２５】
例えば、電磁場（電波など）を用いた通信（例えばインターネット回線など）によりグルーピングを行う参考例がある。この場合。この通信は、この部屋から遠く離れている場所にも届く。例えば、第２装置２０の位置から見えない遠く離れた位置に第１装置１０が置かれていても、これらの装置の間の通信が可能である。しかしながら、この参考例において、第１装置１０と第２装置２０とを安易にグルーピングすると、セキュリティの問題が生じる。例えば、盗聴の可能性がある。
【００２６】
これに対して、実施形態においては、第１装置１０と第２装置２０とのグルーピングを、第１音波１０Ｗを用いて行う。音波を用いた通信をグルーピングの認証に用いることで、グルーピングの対象となる複数の装置（第１装置１０及び第２装置２０）の間の距離は、上記の参考例の場合に比べて制限される。例えば、第２装置２０の位置から見える位置に第１装置１０が置かれるときに、第２装置２０は、第１装置１０から出射される第１音波１０Ｗを受信できる。これにより、セキュリティの問題が抑制される。
【００２７】
実施形態において、第１音波１０Ｗは、例えば、部屋の壁などで減衰する。例えば、第１音波１０Ｗは、例えば、部屋の壁により実質的に遮蔽されても良い。
【００２８】
第１音波１０Ｗの音響パワーは、例えば、１×１０−７Ｗ／ｍ２以上１×１０−４Ｗ／ｍ２以下である。音響パワーが１×１０−７Ｗ／ｍ２よりも低いと、第１音波１０Ｗを用いたグルーピングの認証が容易ではなくなる。音響パワーが１×１０−４Ｗ／ｍ２よりも高いと、使用者において違和感が生じ易くなる。
【００２９】
実施形態において、第１音波１０Ｗの周波数は任意である。１つ例において、第１音波１０Ｗの周波数は、２０ｋＨｚよりも高くても良い。この場合、使用者は、第１音波１０Ｗを実質的に感じない。
【００３０】
別の例において、第１音波１０Ｗの周波数は、２０Ｈｚ以上２０ｋＨｚ以下である。この場合、用者は、第１音波１０Ｗを感じる。この場合、第１装置１０から第１音波１０Ｗが出射されたことが、第１装置１０の使用者及び第２装置２０の使用者が認識できる。この場合、２つの装置のグルーピングのための認証が実施されつつあることが、これらの使用者が容易に分かる。このため、より高いセキュリティが得られる。
【００３１】
実施形態においては、複数の装置のグルーピングを、より高いセキュリティで簡単に実施できる。グルーピングされた複数の装置の連携が容易になる。これにより、複数の装置で得られる情報（音情報）をより有効に利用できる。実施形態によれば、情報をより有効に利用できるマイクロフォン連携装置が提供できる。
【００３２】
以下、マイクロフォン連携装置１１０で実施される動作のいくつかの例について説明する。  
図２は、第１実施形態に係るマイクロフォン連携装置の動作を例示するフローチャート図である。  
図２に示すように、第１装置１０で、第１操作が受け付けられる（ステップＳ１０１）。例えば、第１装置１０の第１表示部１０Ｄに、例えば「グルーピングを申請しますか」などの画像が表示される。第１装置１０の使用者（第１使用者）は、この画像をタッチして、グルーピングを申請する。これにより、第１音波１０Ｗが出射される（ステップＳ１１０）。第１操作の受け付けは、例えば、音声による入力の受け付けでも良い。第１操作の受け付けは、例えば、第１操作受付部１０Ｒ（図１参照）により行われても良い。
【００３３】
このように、この例では、第１音波１０Ｗの出射（ステップＳ１１０）は、第１装置１０が第１操作者の操作を受け付けることにより開始される。
【００３４】
出射された第１音波１０Ｗが第２装置２０の第２マイクロフォン２０Ｍが受信される（ステップＳ１２０）。第２装置２０において後述の認証が行われる（ステップＳ１３０）。認証の結果に応じて、第１装置１０及び第２装置２０は、１つのグループに入る（ステップＳ１４０）。このようにして、第１動作が実施される。
【００３５】
図３は、第１実施形態に係るマイクロフォン連携装置の動作を例示する模式図である。  図３は、第２装置２０における上記の認証を例示している。図３に示すように、この例では、第２装置２０の第２表示部２０Ｄにメッセージ２６が表示される。この例では、メッセージ２６は、「グループ申請がありました」の内容を含む。そして、第２表示部２０Ｄに、「許可する」及び「許可しない」の画像が表示される。第２装置２０の使用者（第２使用者）が、このメッセージ２６を認識することで、グループ申請を認識できる。そして、申請の認証が容易に実施できる。
【００３６】
このように、第２装置２０における認証動作は、表示などの視覚情報に基づいて行われても良い。実施形態において、認証動作は、音声などの聴覚情報に基づいて行われても良い。実施形態において、認証動作は、振動などの触覚情報に基づいて行われても良い。
【００３７】
図４は、第１実施形態に係るマイクロフォン連携装置の動作を例示する別のフローチャート図である。  
図４に示すように、第２装置２０における認証（ステップＳ１３０）において、認証して良いかどうかが判断される。この判断は、例えば、図３に例示した表示など基づいて、使用者（第２使用者）の操作を受け付けることで、判断される。例えば、図３に例示したメッセージ２６において、「許可する」及び「許可しない」の画像が表示される。
【００３８】
ステップＳ１３０において、第２使用者が「許可する」を選択すると（すなわち、第２装置２０が「許可する」の指示（操作）を受け付けると）、ステップＳ１４０に進む。
【００３９】
一方、ステップＳ１３０において、第２使用者が「許可しない」を選択すると（すなわち、第２装置２０が「許可しない」の指示（操作）を受け付けると）、ステップＳ１５０に進む。ステップＳ１５０では、例えば、第１装置１０に向けて通知が送信される。この送信は、例えば、第２装置２０の第２スピーカ２０Ｓから音波（第２音波）が出射されることにより行われても良い。この送信は、例えば、第２装置２０からインターネット回線を介して通信により行われても良い。この送信は、例えば、サーバ８０を介した通信により行われても良い。
【００４０】
通知の送信により、例えば、第１装置１０の第１表示部１０Ｄに、グループ申請が成立されなかったことが表示される。グループ申請が成立されなかったことの通知は、例えば、表示（視覚情報）により行われる。グループ申請が成立されなかったことの通知は、聴覚情報及び触覚情報の少なくともいずれかに基づいて行われても良い。
【００４１】
実施形態において、ステップＳ１３０において、認証の許可が、所定の時間内に行われなかった場合も、ステップＳ１５０に進んでも良い。
【００４２】
第１装置１０の第１使用者は、グループ申請が成立されなかったことの通知に応じて、申請を再度実施しても良い。または、第１使用者は、申請を続けない。
【００４３】
このように、１つの例において、第１装置１０から出射された第１音波１０Ｗを第２装置２０の第２マイクロフォン２０Ｍが受信したときに、第２装置２０は、第１動作を実施するかどうかを第２装置２０の第２操作者に選択させることを促しても良い。例えば、図３に例示したメッセージ２６などが表示される。「選択させることの促し」は、例えば、視覚情報、聴覚情報及び触覚情報の少なくともいずれかに基づいて行われる。
【００４４】
そして、第１動作を実施すること（グルーピングの実施、グループに入ること）が第２操作者により選択されたときに、第１動作が実施される。例えば、第１動作を実施することが第２操作者により選択されたという情報を、第２装置２０が入手する。このときに、第１動作が実施される。
【００４５】
上記のように、ステップＳ１３０（認証）は、第２使用者の操作に基づいて行われる。別の例において、ステップＳ１３０（認証）は、第２使用者の操作以外の条件で判定されても良い。
【００４６】
例えば、会議が設定される場合、会議の出席者が、予め設定される。会議の出席者が、予め登録される。登録された複数の出席者の１人が所有する装置（例えば第１装置１０）の認識情報が、登録された複数の別の１人が所有する装置（例えば第２装置２０）が取得することができる。このような場合に、複数の出席者の上記の１人が所有する第１装置１０が会議室に入ったときに、第１装置１０から第１音波１０Ｗが出射される。この第１音波１０Ｗを第２装置２０が受信したとき、第１装置１０の認識情報に基づいて、第１装置１０及び第２装置２０が１つのグループに入ることが認証されても良い。
【００４７】
会議の時間が決まっている場合、第２装置２０が、第１音波１０Ｗを受信した時刻に基づいて、グループに入ることが認証されても良い。例えば、第１装置１０の第１操作者のスケジュールに基づいて、グループに入ることが認証されても良い。第２装置２０の第２操作者のスケジュールに基づいて、グループに入ることが認証されても良い。
【００４８】
第１装置１０と第２装置２０とが過去に１つのグループに入っている場合などにおいて、第１音波１０Ｗを受信したら、グループに入ることが認証されても良い。例えば、第１装置１０及び第２装置２０における過去のグルーピングに関する情報は、例えば、第１装置１０と第２装置２０との間の通信の送受信履歴を参照することで、得られる。
【００４９】
このように、例えば、第１音波１０Ｗを第２マイクロフォン２０Ｍが受信した時刻、第１装置１０の第１操作者のスケジュール、第２装置２０の第２操作者のスケジュール、及び、第１装置１０と第２装置２０との間の過去の送受信履歴に関する情報の少なくともいずれかに基づいて、第１動作が実施されても良い。
【００５０】
このような情報に基づく第１動作の実施の可否の判断は、例えば、第１装置１０及び第２装置２０の少なくともいずれかで行われても良い。実施形態において、このような情報に基づく第１動作の実施の可否の判断は、例えば、サーバ８０で行われても良い。例えば、第１動作の少なくとも一部は、サーバ８０により制御されても良い。
【００５１】
一方、第１音波１０Ｗの出射（ステップＳ１１０）は、時刻に基づいて実施されても良い。例えば、会議の開始時刻に合わせて、第１音波１０Ｗが出射されても良い。第１音波１０Ｗの出射は、第１装置１０の位置に関する情報に基づいて実施されても良い。例えば、第１装置１０が、予定された会議室内にあるときに、第１音波１０Ｗが出射されても良い。第１音波１０Ｗの出射は、第１装置１０の第１操作者のスケジュール（例えば会議への参加）に基づいて実施されても良い。第１音波１０Ｗの出射は、第１装置１０と第２装置２０との間の距離に関する情報に基づいて実施されても良い。第１装置１０と第２装置２０とが同じ部屋にあり、互いの距離がしきい値以下のときに、第１音波１０Ｗが出射されても良い。第１音波１０Ｗの出射は、第１装置１０と第２装置２０との間の過去の送受信履歴（例えば過去のグルーピングの履歴）に基づいて実施されても良い。
【００５２】
このように、実施形態においては、第１音波１０Ｗの出射は、時刻、第１装置１０の位置に関する情報、第１装置１０の第１操作者のスケジュール、第１装置１０と第２装置２０との間の距離に関する情報、及び、第１装置１０と第２装置２０との間の過去の送受信履歴に関する情報の少なくともいずれかに基づいて、開始されても良い。第１音波１０Ｗの出射の制御は、サーバ８０により制御されても良い。
【００５３】
このような情報に基づいて第１音波１０Ｗの出射が開始されることで、人による操作が省略できる。より便利なマイクロフォン連携が提供できる。
【００５４】
以下、マイクロフォン連携がされた第１装置１０及び第２装置２０の状態（または動作）のいくつかの例について説明する。
【００５５】
例えば、１つのグループに入った後において第１マイクロフォン１０Ｍにより取得された第１音に関する第１音情報に、その１つのグループに与えられた認識情報が付加されることが可能である。そして、その１つのグループに入った後において第２マイクロフォン２０Ｍにより取得された第２音に関する第２音情報に、この認識情報が付加されることが可能である。
【００５６】
例えば、第１音情報及び第２音情報のそれぞれに、そのグループに特有の認証情報が付与される。例えば、認識情報を検索または認識することで、そのグループに属する情報を抽出できる。
【００５７】
例えば、１つのグループに入った後において第１マイクロフォン１０Ｍにより取得された第１音に関する第１音情報が記憶可能である。その１つのグループに入った後において第２マイクロフォン２０Ｍにより取得された第２音に関する第２音情報が記憶可能である。記憶されたこれらの音情報が、後で読み出される。このとき、例えば、上記の認識情報に基づいて、これらの音情報を抽出して読み出すことが可能である。
【００５８】
例えば、上記の第１音情報と、上記の第２音情報と、の処理により得られた処理情報が出力可能でもよい。例えば、第１音情報と第２音情報とを用いて、雑音の少なくとも一部が除去されても良い。このように、第１音情報及び音情報の処理は、雑音の抑制処理を含む。高い品質の音情報が得られる。
【００５９】
第１マイクロフォン１０Ｍにより取得された第１音に関する第１音情報、及び、第２マイクロフォン２０Ｍにより取得された第２音に関する第２音情報が音声認識処理されても良い。音声認識により、これらの音情報がテキスト情報に変換される。複数の装置（第１装置１０及び第２装置２０など）がグルーピングされることで、これらの複数の装置で得られる複数のテキスト情報が、必要に応じてマージされる。
【００６０】
図５は、第１実施形態に係るマイクロフォン連携装置の動作を例示する模式図である。  図５は、第１音情報及び第２音情報の処理により得られた処理情報６０を例示している。この例では、処理情報６０は、テキスト情報を含む。例えば、会議において、第１装置１０及び第２装置２０が１つのグループに入る。第１装置１０の第１使用者の声が、主に、第１装置１０の第１マイクロフォン１０Ｍにより取得される。第２装置２０の第２使用者の声が、主に、第２装置２０の第２マイクロフォン２０Ｍにより取得される。
【００６１】
第１マイクロフォン１０Ｍにより取得された第１音情報は、第１使用者の声の情報を含む。第２マイクロフォン２０Ｍにより取得された第２音情報は、第２使用者の声の情報を含む。第１音情報及び第２音情報に基づいて、テキスト情報が導出される。
【００６２】
図５に例示するように、第１音情報に基づいて、第１使用者の第１テキスト６１が得られる。第２音情報に基づいて、第２使用者の第２テキスト６２が得られる。実施形態においては、第１装置１０及び第２装置２０が同じグループに属している。このとき、第１テキスト６１と第２テキスト６２がマージされる。
【００６３】
このように、第１音情報及び第２音情報の処理により得られた処理情報は、第１音情報が音声認識処理されて得られた第１テキスト情報（第１テキスト６１）と、第２音情報が音声認識処理されて得られた第２テキスト情報（第２テキスト６２）と、を含んでも良い。
【００６４】
この例において、第１使用者の声が、第２マイクロフォン２０Ｍにより取得されても良い。第２使用者の声が、第１マイクロフォン１０Ｍにより取得されても良い。第１マイクロフォン１０Ｍにより取得された第１使用者の声に関する第１音情報と、第２マイクロフォン２０Ｍにより取得された第１使用者の声に関する第２音情報と、を用いて、雑音の抑制処理が行われても良い。同様に、第１マイクロフォン１０Ｍにより取得された第２使用者の声に関する第１音情報と、第２マイクロフォン２０Ｍにより取得された第２使用者の声に関する第２音情報と、を用いて、雑音の抑制処理が行われても良い。これにより、雑音が抑制された音情報が得られる。
【００６５】
実施形態において、第１音波１０Ｗは、デジタルデータが符号化された信号を含んでも良い。第１音波１０Ｗは、音響電子透かしを含んでも良い。
【００６６】
第１音波１０Ｗは、第１装置１０の空間的な位置により変化しても良い。例えば、第１装置１０が、特定の部屋の中にあるときに、その部屋に特有の音が、第１音波１０Ｗとして用いられても良い。例えば、部屋に認識情報が付与される。部屋の認識情報に基づいて、第１音波１０Ｗ（例えば旋律）が変更されても良い。
【００６７】
例えば、複数の装置に固有の音が、第１音波１０Ｗとして用いられても良い。
【００６８】
（第２実施形態）
図６は、第２実施形態に係るマイクロフォン連携装置を例示する模式図である。  
図６に示すように、本実施形態に係るマイクロフォン連携装置１２０は、第１装置１０及び第２装置２０に加えて、第３装置３０をさらに含む。
【００６９】
第３装置３０は、第３マイクロフォン３０Ｍ及び第３スピーカ３０Ｓを含む。第３装置３０は、第３通信部３０Ｔ、第３記憶部３０Ａ、第３処理部３０Ｐ、第３表示部３０Ｄ及び第３操作受付部３０Ｒをさらに含んでも良い。第３装置３０に含まれる各要素は、例えば、第１装置１０に含まれる各要素と同様である。
【００７０】
マイクロフォン連携装置１２０において、第３スピーカ３０Ｓから第３音波３０Ｗが出射される。マイクロフォン連携装置１２０において、以下の第２動作が可能である。第２動作においては、第３スピーカ３０Ｓから出射された第３音波３０Ｗを第２マイクロフォン２０Ｍが受信したときに、第３装置３０は、上記の１つのグループに入る。
【００７１】
このとき、例えば、第３音波３０Ｗは、第１音波１０Ｗとは異なる。第３音波３０Ｗにおける音の配列（例えば旋律）は、第１音波１０Ｗにおける音の配列（例えば旋律）とは異なる。複数の音波が互いに異なることで、使用者は、音波を認識し易くなる。
【００７２】
図７は、実施形態に係るマイクロフォン連携装置の使用状態を例示する模式図である。  図７に示すように、第１装置１０、第２装置２０及び第３装置３０のそれぞれの使用者が会議などを行う。このような場合に、実施形態に係るマイクロフォン連携装置が用いられる。
【００７３】
例えば、複数のマイクロフォン装置（例えば第１装置１０、第２装置２０及び第３装置３０など）と、それらの使用者のそれぞれが、紐づけられている。複数のマイクロフォン装置どうしは、例えば、クラウド経由で通信が可能である。
【００７４】
例えば、１つのマイクロフォン装置（例えば第２装置２０）の使用者が会議に参加している。第２装置２０は、例えば、１つのグループに属している。例えば、第２装置２０は、会議の内容を録音している。
【００７５】
別のマイクロフォン装置（例えば第１装置１０）の使用者が、その会議に新たに参加する。会議の主席者（使用者）は、第１装置１０がこのグループに新たに加わることを希望する。第１装置１０から第１音波１０Ｗが出射される。この第１音波１０Ｗが、第２装置２０の第２マイクロフォン２０Ｍで受信される。グループへの第１装置１０の参加が認証される。例えば、第１装置１０による会議の録音が開始される。
【００７６】
例えば、新たなハードウエアの追加をせずに、マイクロフォンの連携が行われる。複雑な操作をせずに、マイクロフォンの連携が行われる。
【００７７】
同じグループに属する複数のマイクロフォン装置により会議の内容が録音される。例えば、会議における会話が、分離して取得される。例えば、雑音が抑制される。会議の内容が、高品質で取得できる。
【００７８】
例えば、第１音波１０Ｗがスペクトル解析される。例えば、特徴量系列の抽出が行われる。例えば、保持しているサイン音辞書とのマッチングが評価される。例えば、特徴量系列が、第１音波１０Ｗの入力情報と、マッチしたら、第１装置１０がそのグループに入る。例えば、クラウド上で、その装置が探されても良い。例えば、複数の装置におけるハンドシェイクが実施される。ハンドシェイクの後に、複数の装置は、互いに連携した録音を実施できる。
【００７９】
例えば、第２装置２０は、第１音波１０Ｗを観測した時に、第１音波１０Ｗの発信源を会議に加えるか否かを、第２使用者に、例えばＧＵＩで選択させる。これにより、第１装置１０を認証する。
【００８０】
例えば、第２装置２０は、第１音波１０Ｗを観測した時に、第１装置１０に紐づけられた第１使用者の予定を参照できる。参照は、例えば、クラウド上の情報により行われても良い。例えば、参照の結果に基づいて、第１装置１０のグループへの参加が実施されても良い。
実施形態に係るマイクロフォン連携装置は、会議の他に、教室などで用いられても良い。マイクロフォン連携装置は、任意の状況で利用できる。複数のヒト（使用者が存在する任意の空間において、マイクロフォン連携装置が利用できる。
【００８１】
実施形態によれば、情報をより有効に利用できるマイクロフォン連携装置が提供できる。
【００８２】
以上、例を参照しつつ、本発明の実施の形態について説明した。しかし、本発明は、これらの例に限定されるものではない。例えば、マイクロフォン連携装置に含まれる第１装置、第２装置、マイクロフォン、スピーカ及びサーバなどの各要素の具体的な構成に関しては、当業者が公知の範囲から適宜選択することにより本発明を同様に実施し、同様の効果を得ることができる限り、本発明の範囲に包含される。
【００８３】
各例のいずれか２つ以上の要素を技術的に可能な範囲で組み合わせたものも、本発明の要旨を包含する限り本発明の範囲に含まれる。
【００８４】
本発明の実施の形態として上述したマイクロフォン連携装置を基にして、当業者が適宜設計変更して実施し得る全てのマイクロフォン連携装置も、本発明の要旨を包含する限り、本発明の範囲に属する。
【００８５】
本発明の思想の範疇において、当業者であれば、各種の変更例及び修正例に想到し得るものであり、それら変更例及び修正例についても本発明の範囲に属するものと了解される。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１０…第１装置、  １０Ａ…第１記憶部、  １０Ｄ…第１表示部、  １０Ｍ…第１マイクロフォン、  １０Ｐ…第１処理部、  １０Ｒ…第１操作受付部、  １０Ｓ…第１スピーカ、  １０Ｔ…第１通信部、  １０Ｗ…第１音波、  ２０…第２装置、  ２０Ａ…第２記憶部、  ２０Ｄ…第２表示部、  ２０Ｍ…第２マイクロフォン、  ２０Ｐ…第２処理部、  ２０Ｒ…第２操作受付部、  ２０Ｓ…第２スピーカ、  ２０Ｔ…第２通信部、  ２６…メッセージ、  ３０…第３装置、  ３０Ａ…第３記憶部、  ３０Ｄ…第３表示部、  ３０Ｍ…第３マイクロフォン、  ３０Ｐ…第３処理部、  ３０Ｒ…第３操作受付部、  ３０Ｓ…第３スピーカ、  ３０Ｔ…第３通信部、  ３０Ｗ…第３音波、  ６０…処理情報、  ６１…第１テキスト、  ６２…第２テキスト、  ８０…サーバ、  ８１…サーバ処理部、  ８２…サーバ記憶部、  １１０、１２０…マイクロフォン連携装置
【図１】
2019041362.tif 000003
【図２】
2019041362.tif 000004
【図３】
2019041362.tif 000005
【図４】
2019041362.tif 000006
【図５】
2019041362.tif 000007
【図６】
2019041362.tif 000008
【図７】
2019041362.tif 000009